(57)【要約】【課題】  送信者及び受信者共に、一通話単位で通信料の割引きを受けることを可能とした、ＴＶ電話機能付き携帯電話、ＴＶ電話機能付き携帯電話システム、及び、それらの画像送受信方法を提供する。【解決手段】  複数のＴＶ電話機能付き携帯電話１と複数の基地局８とからなるＴＶ電話機能付き携帯電話システムにおける携帯電話１は、相手側の携帯電話から送信されたＴＶ画像と、基地局の広告サーバー１１からダウンロードした広告画像とを合成して表示するように構成されたものとする。【選択図】  図１
2006129394.tif 000002
【特許請求の範囲】
【請求項１】
複数のＴＶ電話機能付き携帯電話と複数の基地局とからなるＴＶ電話機能付き携帯電話システムであって、
前記携帯電話は、相手側の前記携帯電話から送信されたＴＶ画像と、前記基地局の広告サーバーからダウンロードした広告画像とを合成して表示することを特徴とするＴＶ電話機能付き携帯電話システム。
【請求項２】
前記携帯電話は、ＴＶ電話画像の発信時又は着信時に、前記基地局の広告サーバーから広告画像をダウンロードすることを特徴とする請求項１記載のＴＶ電話機能付き携帯電話システム。
【請求項３】
発信側の前記携帯電話の通信料が割り引かれ、更に、発信側の前記携帯電話から送信されたＴＶ画像と、前記基地局の広告サーバーからダウンロードされた広告画像とを合成して表示することを許可した着信側の前記携帯電話は、無料通信料が加算されることを特徴とする請求項１又は２に記載のＴＶ電話機能付き携帯電話システム。
【請求項４】
前記ＴＶ電話機能付き携帯電話は、
相手側の携帯電話から送信された相手画像と共に、広告画像を表示する広告モードを設定することが可能なＴＶ電話の発信手段と、
前記基地局の広告表示モード判定手段から広告画像のダウンロード要求がされた場合に、前記基地局の広告サーバーに対して、広告画像の取得要求をし、広告画像を取得する広告受信手段と、
前記広告受信手段により取得した広告画像をＤｅｃｏｄｅする広告Ｄｅｃｏｄｅ手段と、
前記相手側の携帯電話から送信された相手画像を取得する相手画像受信手段と、
前記相手画像受信手段により取得した相手画像をＤｅｃｏｄｅする相手画像Ｄｅｃｏｄｅ手段と、
前記Ｄｅｃｏｄｅされた広告画像と、前記Ｄｅｃｏｄｅされた相手画像とを合成して表示する画像合成表示手段と、を具備し、
前記基地局は、
前記携帯電話に送信するための広告画像を保存する広告サーバーと、
前記携帯電話からＴＶ電話の発信要求を受け、該発信要求を解析して、前記広告モードが設定されているか否かを判定し、広告モードに設定されていた場合は、前記携帯電話に対して、前記広告画像のダウンロード要求をする広告表示モード判定手段と、
通常の基地局動作を行う基地局制御部と、を具備したことを特徴とする請求項１から３のいずれか１項に記載のＴＶ電話機能付き携帯電話システム。
【請求項５】
複数のＴＶ電話機能付き携帯電話と複数の基地局とからなるＴＶ電話機能付き携帯電話システムの画像送受信方法であって、
前記携帯電話は、相手側の前記携帯電話から送信されたＴＶ画像と、前記基地局の広告サーバーからダウンロードした広告画像とを合成して表示する工程を有することを特徴とするＴＶ電話機能付き携帯電話システムの画像送受信方法。
【請求項６】
前記携帯電話は、ＴＶ電話画像の発信時又は着信時に、前記基地局の広告サーバーから広告画像をダウンロードする工程を有することを特徴とする請求項５記載のＴＶ電話機能付き携帯電話システムの画像送受信方法。
【請求項７】
前記ＴＶ電話機能付き携帯電話システムにより、発信側の前記携帯電話の通信料が割り引かれる工程と、
前記ＴＶ電話機能付き携帯電話システムにより、発信側の前記携帯電話から送信されたＴＶ画像と前記基地局の広告サーバーからダウンロードされた広告画像とを合成して表示することを許可した着信側の前記携帯電話に対して、無料通信料が加算される工程と、を有することを特徴とする請求項５又は６に記載のＴＶ電話機能付き携帯電話システムの画像送受信方法。
【請求項８】
前記ＴＶ電話機能付き携帯電話に設けられたＴＶ電話の発信手段が、相手側の携帯電話から送信された相手画像と共に、広告画像を表示する広告モードの設定処理を実施した後に、広告表示付きＴＶ電話の発信要求を行う広告表示付きＴＶ電話発信要求工程と、
前記広告表示付きＴＶ電話の発信要求を受けた、前記基地局に設けられた広告表示モード判定手段が、該発信要求を解析して、前記広告モードが設定されているか否かを判定し、広告モードに設定されていた場合は、前記携帯電話に対して、前記広告画像のダウンロード要求をする広告画像ダウンロード要求工程と、
前記広告画像ダウンロード要求工程における広告画像のダウンロード要求がされた場合に、前記ＴＶ電話機能付き携帯電話に設けられた広告受信手段が、前記基地局の広告サーバーに対して、広告画像の取得要求をし、広告画像を取得する広告画像取得工程と、
前記携帯電話に設けられた広告Ｄｅｃｏｄｅ手段が、前記広告画像取得工程において取得された広告画像をＤｅｃｏｄｅする広告画像Ｄｅｃｏｄｅ工程と、
前記携帯電話に設けられた相手画像受信手段が、前記相手側の携帯電話から送信された相手画像を取得する相手画像取得工程と、
前記携帯電話に設けられた相手画像Ｄｅｃｏｄｅ手段が、前記相手画像取得工程において取得された相手画像をＤｅｃｏｄｅする相手画像Ｄｅｃｏｄｅ工程と、
前記携帯電話に設けられた画像合成表示手段が、前記Ｄｅｃｏｄｅされた広告画像と、前記Ｄｅｃｏｄｅされた相手画像とを合成して表示する工程と、を有することを特徴とする請求項５から７のいずれか１項に記載のＴＶ電話機能付き携帯電話システムの画像送受信方法。
【請求項９】
複数のＴＶ電話機能付き携帯電話と複数の基地局とからなるＴＶ電話機能付き携帯電話システムのＴＶ電話機能付き携帯電話であって、
前記携帯電話は、相手側の前記携帯電話から送信されたＴＶ画像と、前記基地局の広告サーバーからダウンロードした広告画像とを合成して表示することを特徴とするＴＶ電話機能付き携帯電話。
【請求項１０】
前記携帯電話は、ＴＶ電話画像の発信時又は着信時に、前記基地局の広告サーバーから広告画像をダウンロードすることを特徴とする請求項９記載のＴＶ電話機能付き携帯電話。
【請求項１１】
発信側の前記携帯電話の通信料が割り引かれ、更に、発信側の前記携帯電話から送信されたＴＶ画像と、前記基地局の広告サーバーからダウンロードされた広告画像とを合成して表示することを許可した着信側の前記携帯電話は、無料通信料が加算されることを特徴とする請求項９又は１０に記載のＴＶ電話機能付き携帯電話。
【請求項１２】
前記ＴＶ電話機能付き携帯電話は、
相手側の携帯電話から送信された相手画像と共に、広告画像を表示する広告モードを設定することが可能なＴＶ電話の発信手段と、
前記基地局の広告表示モード判定手段から広告画像のダウンロード要求がされた場合に、前記基地局の広告サーバーに対して、該広告サーバーに保存された広告画像の取得要求をし、該広告画像を取得する広告受信手段と、
前記広告受信手段により取得した広告画像をＤｅｃｏｄｅする広告Ｄｅｃｏｄｅ手段と、
前記相手側の携帯電話から送信された相手画像を取得する相手画像受信手段と、
前記相手画像受信手段により取得した相手画像をＤｅｃｏｄｅする相手画像Ｄｅｃｏｄｅ手段と、
前記Ｄｅｃｏｄｅされた広告画像と、前記Ｄｅｃｏｄｅされた相手画像とを合成して表示する画像合成表示手段と、を具備したことを特徴とする請求項９から１１のいずれか１項に記載のＴＶ電話機能付き携帯電話。
【発明の詳細な説明】
【技術分野】
【０００１】
本発明は、広告表示機能を設けたことを特徴とする、ＴＶ電話機能付き携帯電話、ＴＶ電話機能付き携帯電話システム、及び、それらの画像送受信方法に関する。
【背景技術】
【０００２】
現在、ＴＶ電話機能を持つ携帯電話が主流になりつつある。しかし、そうしたＴＶ電話機能を持つ携帯電話ユーザがＴＶ電話をあまり利用していないことが知られている。その一因として、通信料の問題がある。ＴＶ電話では、音声のみの通常の電話に比べ、画像も送信しているので、その分ユーザが負担する料金は高くなる。また、携帯電話のＴＶ電話に関わらず、ユーザが負担する料金の問題があり、特許文献１、２には、ＴＶ電話中の画面に広告画像を挿入し、広告主から徴収した広告料を利用して、ユーザが負担する通信料を割り引くことにより、ユーザが負担する料金の低減を図ることができる広告表示サービスの提供に関する技術が開示されている。
【０００３】
特許文献１では、発信側と着信側とのＴＶ電話装置を接続するネットワークに配置されている交換機に広告画像を記憶しておき、その広告を適当なタイミングで発信側に送信し、相手画像の代わりに表示させることを提案している。
特許文献２では、事前にＴＶ電話装置のメモリに広告を保存し、発信者が撮影して送信する画像に広告画像を合成し、相手に送信することを提案している。更に、メモリに保存してある広告を発信の度に送信し、広告効果を上げるとしている。
【特許文献１】特開平９−２４７２７６号公報
【特許文献２】特開２０００−１８８７４１号公報
【発明の開示】
【発明が解決しようとする課題】
【０００４】
しかし、特許文献１に開示されている技術では、突然相手画像の代わりに広告画像が表示されてしまうので、ＴＶ電話の邪魔であるという問題がある。更に、広告画像が表示されている間は、音声通話のみ行えるというが、具体的にどう行うのかは記載されていないという問題があった。また、特許文献２に開示されている技術では、メモリに保存してある広告画像を発信者が発信する度に送信するが、これでは広告主への広告料の徴収とユーザへの割引の対応があいまいになっているという問題があった。また、着信者に広告画像を表示させるのに、着信者に利点がないという問題があった。
【０００５】
本発明は、上記のような問題点に鑑み、広告画像を送信画像と合成して表示することにより、一通話単位で通信料を割引くことを可能とし、送信者及び受信者共に通信料の割引きを受けることを可能とした、ＴＶ電話機能付き携帯電話、ＴＶ電話機能付き携帯電話システム、及び、それらの画像送受信方法を提供することを目的とする。
【課題を解決するための手段】
【０００６】
請求項１記載の発明は、複数のＴＶ電話機能付き携帯電話と複数の基地局とからなるＴＶ電話機能付き携帯電話システムであって、前記携帯電話は、相手側の前記携帯電話から送信されたＴＶ画像と、前記基地局の広告サーバーからダウンロードした広告画像とを合成して表示するＴＶ電話機能付き携帯電話システムとしたことを特徴とする。
【０００７】
請求項２記載の発明は、前記携帯電話は、ＴＶ電話画像の発信時又は着信時に、前記基地局の広告サーバーから広告画像をダウンロードする請求項１記載のＴＶ電話機能付き携帯電話システムとしたことを特徴とする。
【０００８】
請求項３記載の発明は、発信側の前記携帯電話の通信料が割り引かれ、更に、発信側の前記携帯電話から送信されたＴＶ画像と、前記基地局の広告サーバーからダウンロードされた広告画像とを合成して表示することを許可した着信側の前記携帯電話は、無料通信料が加算される請求項１又は２に記載のＴＶ電話機能付き携帯電話システムとしたことを特徴とする。
【０００９】
請求項４記載の発明は、前記ＴＶ電話機能付き携帯電話は、相手側の携帯電話から送信された相手画像と共に、広告画像を表示する広告モードを設定することが可能なＴＶ電話の発信手段と、前記基地局の広告表示モード判定手段から広告画像のダウンロード要求がされた場合に、前記基地局の広告サーバーに対して、広告画像の取得要求をし、広告画像を取得する広告受信手段と、前記広告受信手段により取得した広告画像をＤｅｃｏｄｅする広告Ｄｅｃｏｄｅ手段と、前記相手側の携帯電話から送信された相手画像を取得する相手画像受信手段と、前記相手画像受信手段により取得した相手画像をＤｅｃｏｄｅする相手画像Ｄｅｃｏｄｅ手段と、前記Ｄｅｃｏｄｅされた広告画像と、前記Ｄｅｃｏｄｅされた相手画像とを合成して表示する画像合成表示手段と、を具備し、前記基地局は、前記携帯電話に送信するための広告画像を保存する広告サーバーと、前記携帯電話からＴＶ電話の発信要求を受け、該発信要求を解析して、前記広告モードが設定されているか否かを判定し、広告モードに設定されていた場合は、前記携帯電話に対して、前記広告画像のダウンロード要求をする広告表示モード判定手段と、通常の基地局動作を行う基地局制御部と、を具備した請求項１から３のいずれか１項に記載のＴＶ電話機能付き携帯電話システムとしたことを特徴とする。
【００１０】
請求項５記載の発明は、複数のＴＶ電話機能付き携帯電話と複数の基地局とからなるＴＶ電話機能付き携帯電話システムの画像送受信方法であって、前記携帯電話は、相手側の前記携帯電話から送信されたＴＶ画像と、前記基地局の広告サーバーからダウンロードした広告画像とを合成して表示する工程を有するＴＶ電話機能付き携帯電話システムの画像送受信方法としたことを特徴とする。
【００１１】
請求項６記載の発明は、前記携帯電話は、ＴＶ電話画像の発信時又は着信時に、前記基地局の広告サーバーから広告画像をダウンロードする工程を有する請求項５記載のＴＶ電話機能付き携帯電話システムの画像送受信方法としたことを特徴とする。
【００１２】
請求項７記載の発明は、前記ＴＶ電話機能付き携帯電話システムにより、発信側の前記携帯電話の通信料が割り引かれる工程と、前記ＴＶ電話機能付き携帯電話システムにより、発信側の前記携帯電話から送信されたＴＶ画像と前記基地局の広告サーバーからダウンロードされた広告画像とを合成して表示することを許可した着信側の前記携帯電話に対して、無料通信料が加算される工程と、を有する請求項５又は６に記載のＴＶ電話機能付き携帯電話システムの画像送受信方法としたことを特徴とする。
【００１３】
請求項８記載の発明は、前記ＴＶ電話機能付き携帯電話に設けられたＴＶ電話の発信手段が、相手側の携帯電話から送信された相手画像と共に、広告画像を表示する広告モードの設定処理を実施した後に、広告表示付きＴＶ電話の発信要求を行う広告表示付きＴＶ電話発信要求工程と、前記広告表示付きＴＶ電話の発信要求を受けた、前記基地局に設けられた広告表示モード判定手段が、該発信要求を解析して、前記広告モードが設定されているか否かを判定し、広告モードに設定されていた場合は、前記携帯電話に対して、前記広告画像のダウンロード要求をする広告画像ダウンロード要求工程と、前記広告画像ダウンロード要求工程における広告画像のダウンロード要求がされた場合に、前記ＴＶ電話機能付き携帯電話に設けられた広告受信手段が、前記基地局の広告サーバーに対して、広告画像の取得要求をし、広告画像を取得する広告画像取得工程と、前記携帯電話に設けられた広告Ｄｅｃｏｄｅ手段が、前記広告画像取得工程において取得された広告画像をＤｅｃｏｄｅする広告画像Ｄｅｃｏｄｅ工程と、前記携帯電話に設けられた相手画像受信手段が、前記相手側の携帯電話から送信された相手画像を取得する相手画像取得工程と、前記携帯電話に設けられた相手画像Ｄｅｃｏｄｅ手段が、前記相手画像取得工程において取得された相手画像をＤｅｃｏｄｅする相手画像Ｄｅｃｏｄｅ工程と、前記携帯電話に設けられた画像合成表示手段が、前記Ｄｅｃｏｄｅされた広告画像と、前記Ｄｅｃｏｄｅされた相手画像とを合成して表示する工程と、を有する請求項５から７のいずれか１項に記載のＴＶ電話機能付き携帯電話システムの画像送受信方法としたことを特徴とする。
【００１４】
請求項９記載の発明は、複数のＴＶ電話機能付き携帯電話と複数の基地局とからなるＴＶ電話機能付き携帯電話システムのＴＶ電話機能付き携帯電話であって、前記携帯電話は、相手側の前記携帯電話から送信されたＴＶ画像と、前記基地局の広告サーバーからダウンロードした広告画像とを合成して表示するＴＶ電話機能付き携帯電話としたことを特徴とする。
【００１５】
請求項１０記載の発明は、前記携帯電話は、ＴＶ電話画像の発信時又は着信時に、前記基地局の広告サーバーから広告画像をダウンロードする請求項９記載のＴＶ電話機能付き携帯電話としたことを特徴とする。
【００１６】
請求項１１記載の発明は、発信側の前記携帯電話の通信料が割り引かれ、更に、発信側の前記携帯電話から送信されたＴＶ画像と、前記基地局の広告サーバーからダウンロードされた広告画像とを合成して表示することを許可した着信側の前記携帯電話は、無料通信料が加算される請求項９又は１０に記載のＴＶ電話機能付き携帯電話としたことを特徴とする。
【００１７】
請求項１２記載の発明は、前記ＴＶ電話機能付き携帯電話は、相手側の携帯電話から送信された相手画像と共に、広告画像を表示する広告モードを設定することが可能なＴＶ電話の発信手段と、前記基地局の広告表示モード判定手段から広告画像のダウンロード要求がされた場合に、前記基地局の広告サーバーに対して、該広告サーバーに保存された広告画像の取得要求をし、該広告画像を取得する広告受信手段と、前記広告受信手段により取得した広告画像をＤｅｃｏｄｅする広告Ｄｅｃｏｄｅ手段と、前記相手側の携帯電話から送信された相手画像を取得する相手画像受信手段と、前記相手画像受信手段により取得した相手画像をＤｅｃｏｄｅする相手画像Ｄｅｃｏｄｅ手段と、前記Ｄｅｃｏｄｅされた広告画像と、前記Ｄｅｃｏｄｅされた相手画像とを合成して表示する画像合成表示手段と、を具備した請求項９から１１のいずれか１項に記載のＴＶ電話機能付き携帯電話としたことを特徴とする。
【発明の効果】
【００１８】
本発明によれば、広告画像を送信画像と合成して表示することにより、一通話単位で通信料を割引くことを可能とし、送信者及び受信者共に通信料の割引きを受けることを可能とした、ＴＶ電話機能付き携帯電話、ＴＶ電話機能付き携帯電話システム、及び、それらの画像送受信方法を実現することができる。
【発明を実施するための最良の形態】
【００１９】
本発明を実施するための最良の形態は、複数のＴＶ電話機能付き携帯電話と複数の基地局とからなるＴＶ電話機能付き携帯電話システムにおける携帯電話は、相手側の携帯電話から送信されたＴＶ画像と、基地局の広告サーバーからダウンロードした広告画像とを合成して表示するように構成されたものとする。
【００２０】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００２１】
（実施形態）
図１は、本実施形態のＴＶ電話機能付き携帯電話システムの構成ブロック図である。本実施形態のＴＶ電話機能付き携帯電話システムは、複数のＴＶ電話機能付き携帯電話１と、複数の基地局８とから構成される。このＴＶ電話機能付き携帯電話１は、発信者が所持する一般的なＴＶ機能付き携帯電話に対して、広告表示機能が付加されているものとする。図１に示すように、ＴＶ電話機能付き携帯電話１は、基地局８の広告サーバー１１から広告をダウンロードする広告受信部２、通常のＴＶ電話と同様の相手画像を受信する相手画像受信部３、受信した圧縮広告画像をＤｅｃｏｄｅする広告Ｄｅｃｏｄｅ部４、通常のＴＶ電話と同様、相手画像をＤｅｃｏｄｅする相手画像Ｄｅｃｏｄｅ部５、相手画像と広告画像を合成し表示する画像合成表示部６を備えている。
【００２２】
また、基地局８は、一般的な携帯電話が発着信の際アクセスする基地局であり、図１に示すように、通常の基地局動作を行う基地局制御部９に加えて、発信者が広告表示モードで、ＴＶ電話をしようとしているのかどうかを判定する広告表示モード判定部１０、携帯電話がダウンロードする広告を保存する広告サーバー１１を備えているものとする。なお、図１には、発信者のＴＶ電話機能付き携帯電話１を１台と、基地局８を１局のみ示し、更に、一般的な携帯電話を構成する、ボタン、カメラ、ＬＣＤ等は省略する。また、相手端末も同様の構成なのでここでは省略する。
【００２３】
次に、本実施形態のＴＶ電話機能付き携帯電話システムの動作について、添付図面を用いて以下に説明する。図２、図３は、本実施形態のＴＶ電話機能付き携帯電話システムの動作について説明するためのフローチャートである。まず、図２を用いて、本実施形態のＴＶ電話機能付き携帯電話システムの動作について説明する。図２に示すように、ステップ１０１では、ユーザによりＴＶ電話機能付き携帯電話１が操作され、携帯電話１に対して、広告表示モードでＴＶ電話を発信する旨の情報が入力される。続いて、ステップ１０２では、ユーザにより携帯電話１に相手端末の電話番号が入力されると、図１に示す携帯電話１の発信部７は、広告表示モードでＴＶ電話を発信する。
【００２４】
続いて、ステップ１０３では、携帯電話１を自己のエリアの範囲内に有している基地局８が、携帯電話１の発信部７からの相手端末へのＴＶ電話発信（ステップ１０２）のためのアクセスを受ける。続いて、ステップ１０４では、基地局８の広告表示モード判定部１０が、ステップ１０３におけるＴＶ電話発信のアクセスを解析し、広告付加モードのＴＶ電話発信であるか、通常のＴＶ電話発信であるかを判定する。そして、この判定結果が通常のＴＶ電話発信である場合は、特別なことは行わず、基地局制御部９にて、通常のＴＶ電話処理を行う（ステップ１１０、ステップ１１１）。
【００２５】
また、上記広告表示モード判定部１０による判定結果が広告付加モードのＴＶ電話発信である場合は、広告表示モード判定部１０は、通常のＴＶ電話処理の前に、携帯電話１の広告受信部２に対して、広告サーバー１１から広告画像をダウンロードするように要求する（ステップ１０５）。そして、ステップ１０６では、基地局８の広告表示モード判定部１０からの広告画像のダウンロード要求に応じて、携帯電話１の広告受信部２が、基地局８の広告サーバー１１から広告のダウンロードを行う。その際の広告は、ＭＰＥＧ−４等の圧縮画像とする。但し、ＴＶ電話の受信画像で使用する圧縮とは異なってもよい。
【００２６】
続いて、ステップ１０７では、基地局８の基地局制御部９により通常のＴＶ電話処理が実行される。そして、ステップ１０８では、相手端末から送信されてきた画像が、通常のＴＶ電話と同様に処理される。すなわち、携帯電話１の相手画像Ｄｅｃｏｄｅ部５において、相手端末から送信されてきた画像がＤｅｃｏｄｅされると同時に、携帯電話１の広告受信部２で通話開始時にダウンロードした広告画像が、広告Ｄｅｃｏｄｅ部４においてＤｅｃｏｄｅされる。続いて、ステップ１０９では、ステップ１０８においてＤｅｃｏｄｅされた相手端末から送信されてきた画像及び広告画像が、携帯電話１の画像合成表示部６により合成され表示される。なお、本実施形態のＴＶ電話機能付き携帯電話システムは、ＴＶ電話中一定時間経過後に別の広告画像を再び広告サーバー１１からダウンロードするように構成されている。
【００２７】
以上説明したように、本実施形態のＴＶ電話機能付き携帯電話システムでは、広告表示モードでＴＶ電話を発信することを可能としている。これにより、相手端末から送信されてきた画像と共に広告画像が表示される。よって、一通話に対し、ダウンロードされた広告の広告主に対して、広告料を徴収し、その広告料を用いて、発信者の通話料が割引かれるように、本実施形態のＴＶ電話機能付き携帯電話システムを構成することが可能となる。なお、上記広告表示の部分を災害時の緊急情報、避難経路表示などにも利用することもできる。但し、この場合は通話料の割引は適用できない。
【００２８】
また、本実施形態のＴＶ電話機能付き携帯電話システムは、基地局８へのアクセスにより広告をダウンロードするので、基地局８のエリアに密着した広告をダウンロードさせることも可能であり、よりユーザの興味を惹く広告を提供することが可能である。また、本実施形態のＴＶ電話機能付き携帯電話システムは、基地局８内にある広告サーバー１１から広告画像をダウンロードするとして説明したが、広告サーバー１１は、基地局８の外部にあっても構わない。この場合は、携帯電話１から、指定した広告サーバー１１に対して、広告画像のダウンロード要求がされる。
【００２９】
次に、図３を用いて、本実施形態のＴＶ電話機能付き携帯電話システムの動作について説明する。図３に示すステップ２０１では、基地局８の広告表示モード判定部１０が、携帯電話１からのＴＶ電話発信のアクセスを解析し、広告表示モードであると判断した場合は、広告表示モード判定部１０は、着信端末側（相手端末側）にも広告をダウンロードするように要求する。その際、着信者が広告画像のダウンロードを許可するかどうか選択できるように、本実施形態のＴＶ電話機能付き携帯電話１は、ダウンロード許可手段を備えているものとする（ステップ２０２）。
【００３０】
次に、ステップ２０３では、着信者の入力操作により、上記ダウンロード許可手段が広告のダウンロードを許可した場合は、着信側端末の広告受信部２は、通常のＴＶ電話処理の前に、発信者側と同じサーバー（図１に示す基地局８の広告サーバー１１）から同じ広告をダウンロードすることとする。そして、通常のＴＶ処理が行われ（ステップ２０４）、着信者側の携帯電話１においても、図２を用いて上述した発信者側の携帯電話１の動作と同様に、ダウンロードした広告画像と相手画像がＤｅｃｏｄｅされ（ステップ２０５）、両画像が合成表示される（ステップ２０６）。そして、続くステップ２０７では、着信者への無料通信料の加算が行われる。
【００３１】
また、着信者の入力操作により、上記ダウンロード許可手段が広告のダウンロードを許可しない場合には、着信端末は通常のＴＶ電話処理を行い、発信端末から送信されてきた画像のみがＤｅｃｏｄｅされ、表示される（ステップ２０８、ステップ２０９）。よって、本実施形態のＴＶ電話機能付き携帯電話システムによれば、発信者のみ通信料が割り引かれるのではなく、広告のダウンロードを許可した着信端末を所有するユーザにも、無料通信料が加算されるようにシステムを構成することが可能となる。
また、本実施形態によれば、同じ広告を両端末で表示しながらＴＶ電話を行うことで、その広告に関する話題になることも期待でき、広告の効果も従来の広告表示方法に比べて優れたものとなる。
【図面の簡単な説明】
【００３２】
【図１】本実施形態のＴＶ電話機能付き携帯電話システムの構成ブロック図である。
【図２】本実施形態のＴＶ電話機能付き携帯電話システムの動作について説明するためのフローチャートである。
【図３】本実施形態のＴＶ電話機能付き携帯電話システムの動作について説明するためのフローチャートである。
【符号の説明】
【００３３】
１    発信者の携帯電話
２    広告受信部
３    相手画像受信部
４    広告Ｄｅｃｏｄｅ部
５    相手画像Ｄｅｃｏｄｅ部
６    画像合成表示部
７    発信部
８    基地局
９    基地局制御部
１０    広告表示モード判定部
１１    広告サーバー
【図１】
2006129394.tif 000003
【図２】
2006129394.tif 000004
【図３】
2006129394.tif 000005